(57)【要約】【課題】  ユーザが誤って削除する操作を実行した場合でも、削除をキャンセルすることができるコンテンツ削除装置を提供すること。【解決手段】  制御部１１は、コンテンツ削除画面に表示されているコンテンツの中から選択されたコンテンツを削除予定に設定し、削除予定のコンテンツを削除する指示に応じて、削除予定のコンテンツを実際には記憶媒体から削除することなく、コンテンツ削除画面において削除予定のコンテンツが削除されたかのように表示を変更する。制御部１１は、削除予定のコンテンツの削除をキャンセルする指示に応じて、コンテンツ削除画面において削除予定のコンテンツが残存するように表示が再度変更する。制御部１１は、コンテンツ削除画面の表示を消去する指示に応じて、削除予定のコンテンツを記憶媒体から実際に削除する。【選択図】図１
2012084198.tif 000002
【特許請求の範囲】
【請求項１】
記憶媒体に記録されているコンテンツを削除するコンテンツ削除装置であって、
ユーザ操作に応じて、前記記憶媒体に記録されているコンテンツに関する情報を含むコンテンツ削除画面を表示装置に表示させる画面表示手段と、
ユーザ操作に応じて、前記コンテンツ削除画面に表示されているコンテンツの中から選択されたコンテンツを削除予定に設定する削除予定設定手段と、
ユーザ操作に基づく削除予定のコンテンツを削除する指示に応じて、削除予定のコンテンツを実際には前記記憶媒体から削除することなく、前記コンテンツ削除画面において削除予定のコンテンツが削除されたかのように表示を変更する第１表示変更手段と、
前記第１表示変更手段が前記コンテンツ削除画面において削除予定のコンテンツが削除されたかのように表示を変更した後に、ユーザ操作に基づく削除予定のコンテンツの削除をキャンセルする指示に応じて、前記コンテンツ削除画面において削除予定のコンテンツが復元するように表示を再度変更する第２表示変更手段と、
前記第１表示変更手段が前記コンテンツ削除画面において削除予定のコンテンツが削除されたかのように表示を変更した後に、ユーザ操作に基づくコンテンツ削除画面の表示を消去する指示に応じて、削除予定のコンテンツを前記記憶媒体から実際に削除する削除手段とを備える、コンテンツ削除装置。
【請求項２】
記憶媒体に記録されているコンテンツを削除するコンテンツ削除装置であって、
ユーザ操作に応じて、前記記憶媒体に記録されているコンテンツに関する情報を含むコンテンツ削除画面を表示装置に表示させる画面表示手段と、
ユーザ操作に応じて、前記コンテンツ削除画面に表示されているコンテンツの中から選択されたコンテンツを削除予定に設定する削除予定設定手段と、
ユーザ操作に基づく削除予定のコンテンツを削除する指示に応じて、削除予定のコンテンツを実際には前記記憶媒体から削除することなく、前記コンテンツ削除画面において削除予定のコンテンツが削除されたかのように表示を変更する第１表示変更手段と、
前記第１表示変更手段が前記コンテンツ削除画面において削除予定のコンテンツが削除されたかのように表示を変更した後に、ユーザ操作に基づく削除予定のコンテンツの削除をキャンセルする指示に応じて、前記コンテンツ削除画面において削除予定のコンテンツが復元するように表示を再度変更する第２表示変更手段と、
前記第１表示変更手段が前記コンテンツ削除画面において削除予定のコンテンツが削除されたかのように表示を変更した後に、前記削除予定設定手段が、ユーザ操作に応じて、前記コンテンツ削除画面に表示されている他のコンテンツの中から選択されたコンテンツを削除予定に設定する際に、削除予定のコンテンツを前記記憶媒体から実際に削除する削除手段とを備える、コンテンツ削除装置。
【請求項３】
前記画面表示手段が、前記記憶媒体の空き容量（又はコンテンツ残り記録可能時間、以下同様。）の情報を前記コンテンツ削除画面にさらに表示させ、
前記第１表示変更手段が、ユーザ操作に基づく削除予定のコンテンツを削除する指示に応じて、前記コンテンツ削除画面において削除予定のコンテンツが削除された場合の前記記憶媒体の空き容量を表示させ、
前記第２表示変更手段が、ユーザ操作に基づく削除予定のコンテンツの削除をキャンセルする指示に応じて、前記コンテンツ削除画面において削除予定のコンテンツが残存する場合の前記記憶媒体の空き容量を表示させる、請求項１または２に記載のコンテンツ削除装置。
【請求項４】
請求項１〜３のいずれかに記載のコンテンツ削除装置の各手段をコンピュータに実行させる、コンテンツ削除プログラム。
【発明の詳細な説明】
【技術分野】
【０００１】
本発明は、記憶媒体に記録されたコンテンツを削除するコンテンツ削除装置に関する。
【背景技術】
【０００２】
ＨＤＤレコーダやＰＣ等は、ＴＶチューナによって受信されたＴＶ放送データを、ＨＤＤ（又はブルーレイディスク）等の記憶媒体に録画コンテンツ（以下、単にコンテンツという。）として記録する。ＨＤＤに記録されているコンテンツの中からユーザ操作に応じて選択されたコンテンツを削除することができる。すなわち、コンテンツリストの中から、削除すべきコンテンツがユーザ操作によって選択される。その後、ユーザ操作によって削除ボタンが選択されると、「削除しますか？」というメッセージが表示され、「ＯＫ」ボタンが選択されると、選択されているコンテンツが削除される。この場合、コンテンツが削除された後に、削除すべきではないコンテンツを誤って選択し削除してしまったことをユーザが認識することがあるが、誤って削除したコンテンツを復元することはできない。
【０００３】
下記特許文献１には、ディレクトリ領域に記録された削除を示す情報に対応するデータ格納領域に記録されたデータを消去して未使用領域に戻すフラッシュメモリの最適化処理を実行させるメモリ最適化命令を備え、携帯情報端末をオートパワーオフするときに、それに付随してメモリ最適化命令を実行させることが記載されている。しかし、この技術を上記のＨＤＤレコーダに適用する場合には、パワーオフする際にデータを消去するので、パワーオフするまではディスクの空き容量が増加せず、場合によっては新たなコンテンツを記録することができない。
【先行技術文献】
【特許文献】
【０００４】
【特許文献１】特開２００４−１１０１２６号公報
【発明の概要】
【発明が解決しようとする課題】
【０００５】
本発明の目的は、ユーザが誤って削除する操作を実行した場合でも、削除をキャンセルすることができるコンテンツ削除装置を提供することである。
【課題を解決するための手段】
【０００６】
本発明の好ましい実施形態によるコンテンツ削除装置は、記憶媒体に記録されているコンテンツを削除するコンテンツ削除装置であって、ユーザ操作に応じて、前記記憶媒体に記録されているコンテンツに関する情報を含むコンテンツ削除画面を表示装置に表示させる画面表示手段と、ユーザ操作に応じて、前記コンテンツ削除画面に表示されているコンテンツの中から選択されたコンテンツを削除予定に設定する削除予定設定手段と、ユーザ操作に基づく削除予定のコンテンツを削除する指示に応じて、削除予定のコンテンツを実際には前記記憶媒体から削除することなく、前記コンテンツ削除画面において削除予定のコンテンツが削除されたかのように表示を変更する第１表示変更手段と、前記第１表示変更手段が前記コンテンツ削除画面において削除予定のコンテンツが削除されたかのように表示を変更した後に、ユーザ操作に基づく削除予定のコンテンツの削除をキャンセルする指示に応じて、前記コンテンツ削除画面において削除予定のコンテンツが残存するように表示を再度変更する第２表示変更手段と、前記第１表示変更手段が前記コンテンツ削除画面において削除予定のコンテンツが削除されたかのように表示を変更した後に、ユーザ操作に基づくコンテンツ削除画面の表示を消去する指示に応じて、削除予定のコンテンツを前記記憶媒体から実際に削除する削除手段とを備える。
【０００７】
ユーザ操作に応じて削除予定のコンテンツを削除する指示が入力された場合、この時点では記憶媒体からコンテンツを実際には削除しない。そして、コンテンツ削除画面の表示のみ、削除予定コンテンツが削除されたように変更される。従って、ユーザは、削除予定コンテンツが記憶媒体から削除されたと認識することができる。もし、誤って削除する指示を入力してしまった場合、ユーザ操作に応じて、削除予定のコンテンツの削除をキャンセルする指示が入力される。これにより、コンテンツ削除画面の表示が、削除予定のコンテンツが復元したように変更される。従って、ユーザは、削除予定コンテンツが記憶媒体に復元したと認識することができる。そして、コンテンツ削除画面の表示を終了する指示が入力された場合に、削除予定のコンテンツが記憶媒体から実際に削除される。コンテンツ削除画面の表示を消去するということは、削除したことにユーザが納得したということであるので、この時点で削除予定のコンテンツを削除することは理にかなっている。
【０００８】
本発明の好ましい実施形態によるコンテンツ削除装置は、記憶媒体に記録されているコンテンツを削除するコンテンツ削除装置であって、ユーザ操作に応じて、前記記憶媒体に記録されているコンテンツに関する情報を含むコンテンツ削除画面を表示装置に表示させる画面表示手段と、ユーザ操作に応じて、前記コンテンツ削除画面に表示されているコンテンツの中から選択されたコンテンツを削除予定に設定する削除予定設定手段と、ユーザ操作に基づく削除予定のコンテンツを削除する指示に応じて、削除予定のコンテンツを実際には前記記憶媒体から削除することなく、前記コンテンツ削除画面において削除予定のコンテンツが削除されたかのように表示を変更する第１表示変更手段と、前記第１表示変更手段が前記コンテンツ削除画面において削除予定のコンテンツが削除されたかのように表示を変更した後に、ユーザ操作に基づく削除予定のコンテンツの削除をキャンセルする指示に応じて、前記コンテンツ削除画面において削除予定のコンテンツが残存するように表示を再度変更する第２表示変更手段と、前記第１表示変更手段が前記コンテンツ削除画面において削除予定のコンテンツが削除されたかのように表示を変更した後に、前記削除予定設定手段が、ユーザ操作に応じて、前記コンテンツ削除画面に表示されている他のコンテンツの中から選択されたコンテンツを削除予定に設定する際に、削除予定のコンテンツを前記記憶媒体から実際に削除する削除手段とを備える。
【０００９】
ユーザ操作に応じて削除予定のコンテンツを削除する指示が入力された場合、この時点では記憶媒体からコンテンツを実際には削除しない。そして、コンテンツ削除画面の表示のみ、削除予定コンテンツが削除されたように変更される。従って、ユーザは、削除予定コンテンツが記憶媒体から削除されたと認識することができる。もし、誤って削除する指示を入力してしまった場合、ユーザ操作に応じて、削除予定のコンテンツの削除をキャンセルする指示が入力される。これにより、コンテンツ削除画面の表示が、削除予定のコンテンツが復元したように変更される。従って、ユーザは、削除予定コンテンツが記憶媒体に復元したと認識することができる。そして、他のコンテンツがさらに選択されて、削除予定に設定される場合に、削除予定のコンテンツが記憶媒体から実際に削除される。他のコンテンツがさらに選択されて、削除予定に設定されるということは、それ以前に選択してコンテンツを削除したことにユーザが納得したということであるので、この時点で削除予定のコンテンツを削除することは理にかなっている。
【００１０】
好ましい実施形態においては、前記画面表示手段が、前記記憶媒体の空き容量（又はコンテンツ残り記録可能時間、以下同様。）の情報を前記コンテンツ削除画面にさらに表示させ、前記第１表示変更手段が、ユーザ操作に基づく削除予定のコンテンツを削除する指示に応じて、前記コンテンツ削除画面において削除予定のコンテンツが削除された場合の前記記憶媒体の空き容量を表示させ、前記第２表示変更手段が、ユーザ操作に基づく削除予定のコンテンツの削除をキャンセルする指示に応じて、前記コンテンツ削除画面において削除予定のコンテンツが残存する場合の前記記憶媒体の空き容量を表示させる。
【００１１】
この場合、コンテンツ削除画面において削除予定コンテンツの情報の表示の消去に応じて、表示されている記憶媒体の空き容量も増加することによって、ユーザは、削除予定コンテンツが記憶媒体から削除されたとかなり確実に認識することができる。また、コンテンツ削除画面において削除予定コンテンツの情報の表示の復元に応じて、表示されている記憶媒体の空き容量も減少することによって、ユーザは、削除予定コンテンツが記憶媒体に復元したとかなり確実に認識することができる。
【発明の効果】
【００１２】
ユーザが誤って削除する操作を実行した場合でも、削除をキャンセルすることができるコンテンツ削除装置を提供することができる。
【図面の簡単な説明】
【００１３】
【図１】本発明の好ましい実施形態によるＨＤＤレコーダ（コンテンツ削除装置）を示すブロック図である。
【図２】制御部１１の処理を示すフローチャートである。
【図３】コンテンツ削除テーブルを示す図である。
【図４Ａ】コンテンツ削除画面を示す図である。
【図４Ｂ】コンテンツ削除画面を示す図である。
【図４Ｃ】コンテンツ削除画面を示す図である。
【図４Ｄ】コンテンツ削除画面を示す図である。
【図５】制御部１１の処理を示すフローチャートである。
【発明を実施するための形態】
【００１４】
以下、本発明の好ましい実施形態について、図面を参照して具体的に説明するが、本発明はこれらの実施形態には限定されない。
【００１５】
図１は、本発明の好ましい実施形態によるコンテンツ削除装置の一例であるＨＤＤレコーダ１０を示すブロック図である。ＨＤＤレコーダ１０は、制御部１１と、メモリ（ＲＯＭ、ＲＡＭ等）１２と、ＨＤＤ１３等の記憶媒体と、ＴＶチューナ１４と、再生部１５と、操作部１６と、表示部１７とを備える。なお、ＨＤＤ１３を内蔵せずに、ブルーレイディスク、フラッシュメモリ等の可搬型記憶媒体を駆動するための駆動装置を備えていてもよい。
【００１６】
制御部１１は、ＲＯＭ又はＨＤＤ１３に記録されているコンテンツ削除プログラムをＲＡＭに読み出して実行することによって、ＨＤＤレコーダ１０の各部を制御するものであり、マイコンやＣＰＵ等である。
【００１７】
ＴＶチューナ１４は、ＴＶ放送データを受信し、受信したＴＶ放送データをＨＤＤ１３に供給する。ＨＤＤ１３は、ＴＶチューナ１４によって受信された放送データを録画コンテンツ（以下、単にコンテンツという。）として、記録する。一般的には、コンテンツは、番組毎に１つのコンテンツとしてＨＤＤ１３に記録されるが、ユーザ操作によって任意に複数のコンテンツに分割、又は、複数のコンテンツを結合することができる。なお、ＨＤＤに記録されるコンテンツは、ＴＶ放送データに限定されず、図示しないサーバからネットワーク経由でダウンロードしたコンテンツでもよい。また、コンテンツは、映像データに限定されず、音楽データやピクチャデータでもよい。
【００１８】
ＨＤＤ１３には、ＨＤＤ１３に記録されている全コンテンツに関して、コンテンツ情報が記録されている。コンテンツ情報は、録画コンテンツの場合には、コンテンツＩＤ、番組名、録画日時、チャンネル番号、番組詳細情報、コンテンツのサイズ（及び／又は録画時間）等を含む。また、コンテンツが音楽ファイルである場合、コンテンツ情報は、コンテンツＩＤ、曲名、アーティスト名、アルバ名、曲のサイズ（及び／又は曲の再生時間）等を含む。
【００１９】
再生部１５は、ＨＤＤ１３に記録されているコンテンツをＨＤＤ１３から読み出して再生（デコード等）する。再生部１５によって再生された映像データは図示しない外部接続されたディスプレイ装置（液晶ＴＶ等）に供給されて、映像が表示される。また、再生部によって再生された音声データは図示しない外部接続されたアンプ装置（ＡＶアンプ等）に供給されて、音声が増幅されて出力される。
【００２０】
操作部１６は、ユーザ操作を受け付けるものであり、ＨＤＤレコーダ１０の筐体に設けられた操作ボタンや、赤外線リモコン送受信機等である。表示部１７は、ＨＤＤレコーダ１０の筐体に設けられたＦＬ管やＬＣＤ等であり、選択されたコンテンツに関するコンテンツ情報や、選択されているＴＶ放送のチャンネル番号などを表示するものである。
【００２１】
制御部１１は、ユーザ操作に応じて、ＨＤＤ１３に記録されているコンテンツに関するコンテンツ情報を含むコンテンツ削除画面をディスプレイ装置に表示させる。また、制御部１１は、ユーザ操作に応じて、コンテンツ削除画面に表示されているコンテンツの中から選択されたコンテンツを削除予定に設定する。また、制御部１１は、ユーザ操作に基づく削除予定のコンテンツを削除する指示に応じて、削除予定のコンテンツを実際にはＨＤＤ１３から削除することなく、コンテンツ削除画面において削除予定のコンテンツが削除されたかのように表示を変更させる。また、制御部１１は、コンテンツ削除画面において削除予定のコンテンツが削除されたかのように表示を変更された後に、ユーザ操作に基づく削除予定のコンテンツの削除をキャンセルする指示に応じて、コンテンツ削除画面において削除予定のコンテンツが残存する（復元した）ように表示を再度変更させる。また、制御部１１は、コンテンツ削除画面において削除予定のコンテンツが削除されたかのように表示を変更された後に、ユーザ操作に基づくコンテンツ削除画面の表示を消去する指示に応じて、削除予定のコンテンツをＨＤＤ１３から実際に削除する。
【００２２】
以下、削除処理について詳細に説明する。図２は、制御部１１の削除処理を示すフローチャートである。
【００２３】
制御部１１は、コンテンツ削除画面をディスプレイ装置に表示させる指示がユーザ操作によって入力されたか否かを判断している（Ｓ１）。コンテンツ削除画面は、ＨＤＤ１３に記録されているコンテンツを削除する際にユーザが操作するための画面である。コンテンツ削除画面をディスプレイ装置に表示させる指示がユーザ操作によって入力された場合（Ｓ１でＹＥＳ）、制御部１１は、ＨＤＤ１３に記録されているコンテンツに関するコンテンツ情報をＨＤＤ１３から読み出して、ＲＡＭに一時的に保存する。詳細には、図３に示すようなコンテンツ削除テーブルをＲＡＭ上に生成する。
【００２４】
コンテンツ削除テーブルは、コンテンツ削除画面が表示されている際に、削除予定のコンテンツを管理するためのテーブルである。例えば、コンテンツ削除テーブルは、ＨＤＤ１３に記録されている全コンテンツのコンテンツＩＤに対応付けて、コンテンツのサイズと、削除予定の情報（例えばフラグ等）とを含む。削除予定の情報は、削除予定である場合には「１」が付されるが、最初は全てのコンテンツについて「１」が付されていない。
【００２５】
続いて、制御部１１は、削除予定のコンテンツを削除した場合のＨＤＤ１３の空き容量を算出する（Ｓ３）。詳細には、制御部１１は、コンテンツ削除テーブルにおいて削除予定に「１」が付されている全コンテンツのサイズの合計を算出する。そして、ＨＤＤ１３の現在の空き容量に、削除予定に「１」が付されている全コンテンツのサイズの合計を加算し、その値を空き容量とする。最初は全てのコンテンツについて「１」が付されていないので、ＨＤＤ１３の現在の空き容量がそのまま、削除予定のコンテンツを削除した場合のＨＤＤ１３の空き容量となる。
【００２６】
制御部１１は、図４Ａに示すようなコンテンツ削除画面を表示する（Ｓ４）。コンテンツ削除画面には、ＨＤＤ１３に記録されている全コンテンツのアイコンと、ＨＤＤ残り容量（及び／又は、残り録画可能時間）の情報と、削除ボタンと、終了ボタンとが表示されている。本例では、ＨＤＤ１３にコンテンツＩＤがＡ〜Ｉの９つのコンテンツが記録されているので、コンテンツ削除画面にはＡ〜Ｉの９つのコンテンツのアイコンが表示されている。
【００２７】
続いて、制御部１１は、コンテンツ削除画面において、ユーザ操作によってコンテンツが選択されたか否かを判断する（Ｓ５）。例えば、選択すべきコンテンツのアイコンにカーソルが表示された状態で、図示しない操作部１６の決定ボタンが操作されると、コンテンツが選択されたことになる。コンテンツが選択された場合（Ｓ５でＹＥＳ）、制御部１１は、選択されたコンテンツが削除予定でなければ、削除予定に設定し、削除予定であれば、削除予定を解除する（Ｓ６）。すなわち、コンテンツ削除テーブルにおいて、選択されたコンテンツの削除予定に「１」が付されていなければ「１」を付して削除予定に設定する。一方、選択されたコンテンツの削除予定に「１」が付されていれば「１」を消去して削除予定を解除する。
【００２８】
図４Ｂのコンテンツ削除画面に示すように、削除予定に設定されたコンテンツのアイコンには「×」が表示され、ユーザはコンテンツ削除画面を参照することによって、コンテンツが削除予定に設定されているか否かを認識することができる。図４Ｂでは、コンテンツＩＤがＡ、Ｃ、Ｇである３つのコンテンツが削除予定に設定されている。
【００２９】
続いて、制御部１１は、コンテンツ削除画面において、ユーザ操作によって削除ボタンが選択されたか否かを判断している（Ｓ７）。つまり、削除予定のコンテンツを削除する指示が入力されたか否かが判断される。コンテンツの選択の場合と同様に、削除ボタンにカーソルが表示されて、操作部１６の図示しない決定ボタンが操作されると、削除ボタンが選択されたことになる。削除ボタンが選択された場合（Ｓ７でＹＥＳ）、制御部１１は、図４Ｃに示すように、「削除しますか？」というメッセージを表示し、ユーザに削除予定のコンテンツを削除してよいかを問い合わせる（Ｓ８）。
【００３０】
メッセージ内のキャンセルボタンが選択された場合（Ｓ８でＮＯ）、制御部１１は、削除ボタンが選択されなかったこととし、Ｓ１０に進み、図４Ｂのコンテンツ削除画面に戻る（メッセージの表示を消去する）。一方、メッセージ内のＯＫボタンが選択された場合（Ｓ８でＹＥＳ）、制御部１１は、図４Ｄに示すように、コンテンツ削除画面の中から削除予定のコンテンツのアイコンの表示を消去する（Ｓ９）。つまり、コンテンツ削除画面において削除予定のコンテンツが削除されたかのように表示を変更させる。しかし、制御部１１は、この時点では、削除予定のコンテンツをＨＤＤ１３から実際には削除していない。後から、削除キャンセルボタンが選択された際に、削除予定のコンテンツを削除することをキャンセルするためである。図４Ｄでは、削除予定であるコンテンツＩＤがＡ、Ｃ、Ｇの３つのコンテンツのアイコンの表示が消去されている。
【００３１】
その後、Ｓ３に戻って、制御部１１は、削除予定のコンテンツを削除した場合のＨＤＤ１３の空き容量を再び算出し（Ｓ３）、ＨＤＤ１３の空き容量の表示を更新する（Ｓ４）。図４Ｄの場合には、削除予定であるコンテンツＩＤがＡ、Ｃ、Ｇの３つのコンテンツを削除した場合のＨＤＤの空き容量が算出されて、表示される。つまり、コンテンツＩＤがＡ、Ｃ、Ｇの３つのコンテンツのサイズの合計が空き容量に加算される。以上によって、削除予定のコンテンツをＨＤＤ１３から実際には削除されていないにもかかわらず、ユーザに削除予定のコンテンツが削除されたと認識させることができる。なお、図４Ｄの段階では、コンテンツ削除画面に新たに削除キャンセルボタンが表示されている。
【００３２】
Ｓ１０において、制御部１１は、図４Ｄのコンテンツ削除画面において、ユーザ操作によって削除キャンセルボタンが選択されたか否かを判断している（Ｓ１０）。つまり、ユーザ操作によって、削除予定のコンテンツの削除をキャンセルする指示が入力されたか否かが判断される。コンテンツの選択の場合と同様に、削除キャンセルボタンにカーソルが表示されて、操作部１６の図示しない決定ボタンが操作されると、削除キャンセルボタンが選択されたことになる。削除キャンセルボタンが選択された場合（Ｓ１０でＹＥＳ）、制御部１１は、図４Ｂのコンテンツ削除画面に示すように、削除予定のコンテンツのアイコンを再度、コンテンツ削除画面に表示させる（Ｓ１１）。このとき、削除予定のコンテンツは削除予定のままであって、アイコンに「×」が表示されている（なお、これに限定されず、図４Ａのコンテンツ削除画面のように削除予定を一旦全て解除し、アイコンの「×」を表示しないようにしてもよい）。図４Ｂでは、削除予定であるコンテンツＩＤがＡ、Ｃ、Ｇの３つのコンテンツのアイコンが再度、コンテンツ削除画面に表示される。
【００３３】
その後、Ｓ３に戻って、制御部１１は、削除予定のコンテンツを削除しなかった場合のＨＤＤ１３の空き容量を再び算出し（Ｓ３）、ＨＤＤ１３の空き容量の表示を更新する（Ｓ４）。図４Ｂの場合には、削除予定であるコンテンツＩＤがＡ、Ｃ、Ｇの３つのコンテンツを削除しない場合のＨＤＤの空き容量が算出されて、表示される。つまり、削除予定であるコンテンツＩＤがＡ、Ｃ、Ｇの３つのコンテンツのサイズの合計が空き容量から減算される。以上によって、ユーザに削除したはずのコンテンツが、残存している（復元した）ように認識させることができる。
【００３４】
続いて、Ｓ１２において、制御部１１は、図４Ｄのコンテンツ削除画面において、ユーザ操作によって終了ボタンが選択されたか否かを判断している（Ｓ１２）。つまり、ユーザ操作によって、コンテンツ削除画面の表示を消去する指示が入力されたか否かが判断される。コンテンツの選択の場合と同様に、終了ボタンにカーソルが表示されて、操作部１６の図示しない決定ボタンが操作されると、終了ボタンが選択されたことになる。終了ボタンは、コンテンツ削除画面の表示を終了するためのボタンである。終了ボタンが選択された場合（Ｓ１２でＹＥＳ）、制御部１１は、削除予定のコンテンツをＨＤＤ１３から実際に削除する（Ｓ１３）。
【００３５】
以上のように、コンテンツ削除画面の表示を終了する際に初めて削除予定のコンテンツを実際に削除するので、コンテンツ削除画面の表示中であれば、ユーザはコンテンツの削除と削除のキャンセルとを自由に実行することができる。従って、誤って削除してしまったことにユーザが気付いた場合には、コンテンツ削除画面の表示を終了するまでは、削除をキャンセルすることができ、利便性を向上することができる。
【００３６】
なお、終了ボタンの代わりに、図示しない操作部１６の戻るボタンが操作される等、コンテンツ削除画面を終了するための任意のユーザ操作に応じて、削除予定のコンテンツを実際に削除してもよい。また、図２の処理において、Ｓ３を省略してもよい。つまり、コンテンツ削除画面にＨＤＤ１３の空き容量を表示しないようにしてもよい。また、図２の処理において、Ｓ８の処理を省略してもよい。つまり、図４Ｃの削除確認のメッセージを表示しないようにしてもよい。
【００３７】
次に、本発明の別の好ましい実施形態を説明する。図５は本例の制御部１１の処理を示すフローチャートであり、図２と同一の処理には同一の符号を付している。図５では、Ｓ１４、Ｓ１５の処理が追加されている。Ｓ５において、コンテンツが選択された場合（Ｓ５でＹＥＳ）、図４Ｄのように削除予定のコンテンツのアイコンがコンテンツ削除画面に表示されていない状態（つまり、削除ボタンが選択されたことによって、削除キャンセルボタンが表示されている状態）で、コンテンツ削除画面に表示されている他のコンテンツが選択されたか（コンテンツ削除画面に表示されている他のコンテンツを削除予定とする指示が入力されたか）を判断する（Ｓ１４）。この判断は、図３のコンテンツ削除テーブルの削除予定の情報と、コンテンツ削除画面の表示内容とを対比することで判断することができる。
【００３８】
削除予定のコンテンツのアイコンがコンテンツ削除画面に表示されていない状態であると判断された場合（Ｓ１４でＹＥＳ）、制御部１１は、終了ボタンが選択された場合と同様に、削除予定のコンテンツをＨＤＤ１３から実際に削除する（Ｓ１５）。その後、Ｓ６に進む。なお、Ｓ１４でＮＯと判断された場合には、そのままＳ６に進む。
【００３９】
以上、本発明の好ましい実施形態を説明したが、本発明はこれらの実施形態には限定されない。上記のコンテンツ記録装置を動作させるためのコンピュータプログラムまたはそのコンピュータプログラムを記録した記録媒体という形態で提供されてもよい。
【産業上の利用可能性】
【００４０】
本発明は、ＨＤＤレコーダやＰＣなどのコンテンツ記録装置に好適に採用され得る。
【符号の説明】
【００４１】
１０        コンテンツ記録装置
１１        制御部
１２        メモリ
１３        ＨＤＤ
１４        ＴＶチューナ
１５        再生部
１６        操作部
１７        表示部
【図１】
2012084198.tif 000003
【図２】
2012084198.tif 000004
【図３】
2012084198.tif 000005
【図４Ａ】
2012084198.tif 000006
【図４Ｂ】
2012084198.tif 000007
【図４Ｃ】
2012084198.tif 000008
【図４Ｄ】
2012084198.tif 000009
【図５】
2012084198.tif 000010